(57)【要約】【課題】タッチ検出電極による表示パネルのモアレ縞の視認を抑えつつ、タッチ検出を行うことができるタッチ検出機能付き表示装置及び電子機器を提供する。【解決手段】タッチ検出機能付き表示装置の複数のタッチ検出電極は、透明導電体の検出電極パターン６１を備える。検出電極パターン６１は、透明導電体のない領域であるスリットＳＬを含み、複数のスリットＳＬは、走査信号線ＧＣＬが延在する方向に所定の間隔のスリットピッチで、かつ走査信号線ＧＣＬと異なる方向に延在しており、スリットピッチＬＸが、複数の画素電極が配列される画素Ｐｉｘの所定の画素ピッチＧＬの自然数倍である。【選択図】図２０
2014130537.tif 000002
【特許請求の範囲】
【請求項１】
基板と、
前記基板と平行な面上に行列配置された複数の画素電極と、
前記基板の表面と平行な平面に延在し、前記画素電極を駆動するための走査信号を供給する複数の走査信号線と、
画像信号に基づいて画像表示機能を発揮する表示機能層と、
前記基板の表面に対する垂直方向において前記画素電極に対向し、前記走査信号線が延在する方向と平行な方向に延在する駆動電極と、
前記垂直方向において前記駆動電極と対向し、かつ前記走査信号線が延在する方向とは異なる方向に延在する、透明導電体の検出電極パターンを備える複数のタッチ検出電極と、を備え、
前記検出電極パターンは、前記透明導電体のない領域であるスリットを含み、
複数の前記スリットは、前記走査信号線が延在する方向に所定の間隔のスリットピッチで、かつ前記走査信号線と異なる方向に延在しており、
前記スリットピッチが、前記複数の画素電極が配列される所定の画素ピッチの自然数倍である、タッチ検出機能付き表示装置。
【請求項２】
前記タッチ検出電極は、前記検出電極パターンと、電極として機能しないダミーパターンと、を備え、
前記ダミーパターンは、前記透明導電体のない領域である複数のスリットを含み、複数の当該スリットは、前記走査信号線が延在する方向に所定の間隔のスリットピッチで、かつ前記走査信号線と異なる方向に延在しており、
前記検出電極パターンのスリットピッチと、前記ダミーパターンのスリットピッチとが同じである、請求項１に記載のタッチ検出機能付き表示装置。
【請求項３】
前記検出電極パターンのスリットは、前記走査信号線が延在する方向と直交する方向に対して角度を有する直線が屈曲部で折り返すジグザグ線の形状である、請求項１又は２に記載のタッチ検出機能付き表示装置。
【請求項４】
前記検出電極パターンのスリットは、前記走査信号線が延在する方向と直交する方向に対して角度を有する直線が屈曲部で折り返す波線の形状である、請求項１又は２に記載のタッチ検出機能付き表示装置。
【請求項５】
前記検出電極パターンのスリットは、前記走査信号線が延在する方向と直交する方向に対して角度を有する直線が、前記垂直方向からみて前記複数の画素電極を跨ぐ、請求項３又は４に記載のタッチ検出機能付き表示装置。
【請求項６】
前記基板の表面と平行な平面に延在し、前記画素電極に画像を表示するための画像信号を供給する複数の画素信号線を備え、
前記屈曲部が、前記垂直方向からみて、前記画素信号線の一部と重なりあう、請求項３又は４に記載のタッチ検出機能付き表示装置。
【請求項７】
前記基板の表面と平行な平面に延在し、前記画素電極に画像を表示するための画像信号を供給する複数の画素信号線を備え、
前記検出電極パターンのスリットは、前記垂直方向からみて、少なくとも一部の前記画素信号線に沿って延在し重なりあう、請求項３又は４に記載のタッチ検出機能付き表示装置。
【請求項８】
前記屈曲部が、前記垂直方向からみて、前記走査信号線の一部と重なりあう、請求項３又は４に記載のタッチ検出機能付き表示装置。
【請求項９】
前記垂直方向において前記表示機能層に対向し、異なる色で着色された複数の色領域を有するカラーフィルタを備え、前記スリットが白色に着色された色領域を避けて配置されている、請求項１から４のいずれか１項に記載のタッチ検出機能付き表示装置。
【請求項１０】
前記画素電極の縁部を遮光する遮光層を備え、
前記スリットは、前記垂直方向からみて前記遮光層の一部に重なり合う、請求項３又は４に記載のタッチ検出機能付き表示装置。
【請求項１１】
前記検出電極パターンは、前記走査信号線の延在する方向の両側にある境界線が平行な箇所がある、請求項３から１０のいずれか１項に記載のタッチ検出機能付き表示装置。
【請求項１２】
外部の近接する物体を検出可能なタッチ検出機能付き表示装置を備える電子機器であって、
前記タッチ検出機能付き表示装置は、
基板と、
前記基板と平行な面上に行列配置された複数の画素電極と、
前記基板の表面と平行な平面に延在し、前記画素電極を駆動するための走査信号を供給する複数の走査信号線と、
前記画像信号に基づいて画像表示機能を発揮する表示機能層と、
前記基板の表面に対する垂直方向において前記画素電極に対向し、前記走査信号線が延在する方向と平行な方向に延在する駆動電極と、
前記垂直方向において前記駆動電極と対向し、かつ前記走査信号線が延在する方向とは異なる方向に延在する、透明導電体の検出電極パターンを備える複数のタッチ検出電極と、を備え、
前記検出電極パターンは、前記透明導電体のない領域であるスリットを含み、
複数の前記スリットは、前記走査信号線が延在する方向に所定の間隔のスリットピッチで、かつ前記走査信号線と異なる方向に延在しており、
前記スリットピッチが、前記複数の画素電極が配列される所定の画素ピッチの自然数倍である、電子機器。
【発明の詳細な説明】
【技術分野】
【０００１】
本発明は、外部近接物体を検出可能な表示装置に係り、特に静電容量の変化に基づいて外部近接物体を検出可能なタッチ検出機能付き表示装置及び電子機器に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着または一体化される、タッチ検出機能付き表示装置に用いられている。そして、タッチ検出機能付き表示装置は、表示装置に各種のボタン画像等を表示させることにより、タッチパネルを通常の機械式ボタンの代わりとして情報入力を可能としている。このようなタッチパネルを有する、タッチ検出機能付き表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式として、光学式、抵抗式、静電容量式などいくつかの方式が存在する。静電容量式のタッチ検出装置は、携帯端末などに用いて、比較的単純な構造をもち、かつ低消費電力が実現できる。例えば、特許文献１には、透明電極パターンの不可視化対策がされたタッチパネルが記載されている。特許文献２には、光透過性の集光シートを備えた液晶表示装置に関し、集光シートのプリズム配列ピッチと液晶表示パネルの画素ピッチとの間で干渉による明暗模様（モアレ）を抑制する技術が記載されている。
【先行技術文献】
【特許文献】
【０００４】
【特許文献１】特開２０１１−１３８１５４号公報
【特許文献２】特開２００７−２６４３９３号公報
【発明の概要】
【発明が解決しようとする課題】
【０００５】
ところで、タッチ検出機能付き表示装置は、表示パネルの画素とタッチ検出電極とが重なり合う。タッチ検出電極は、透明電極の材料としてＩＴＯ（Indium  Tin  Oxide）等の透明導電酸化物が用いられている。タッチ検出電極は、透明ではあるが、所定の屈折率を有している。このため、タッチ検出機能付き表示装置は、タッチ検出電極の透明電極パターンの中にスリット孔パターンを設け、人間の目からタッチ検出電極を目立たなくなるように不可視化されている。
【０００６】
表示パネルの画素からタッチ検出電極の透明電極パターンを通過して人間に到達する光と、表示パネルの画素からスリット孔パターンを通過して人間に到達する光とは、光の波長に差がでる可能性がある。この光の波長の差は、本来表示すべき色の変化として現れ、人間が表示パネルを視る視野角度によって、色ずれ模様（色モアレ）の縞（以下、モアレ縞）が視識されてしまう場合がある。
【０００７】
本開示は、かかる問題点に鑑みてなされたもので、その目的は、タッチ検出電極による表示パネルのモアレ縞の視認を抑えつつ、タッチ検出を行うことができるタッチ検出機能付き表示装置及び電子機器を提供することにある。
【課題を解決するための手段】
【０００８】
本開示のタッチ検出機能付き表示装置は、基板と、前記基板と平行な面上に行列配置された複数の画素電極と、前記基板の表面と平行な平面に延在し、前記画素電極を駆動するための走査信号を供給する複数の走査信号線と、画像信号に基づいて画像表示機能を発揮する表示機能層と、前記基板の表面に対する垂直方向において前記画素電極に対向し、前記走査信号線が延在する方向と平行な方向に延在する駆動電極と、前記垂直方向において前記駆動電極と対向し、かつ前記走査信号線が延在する方向とは異なる方向に延在する、透明導電体の検出電極パターンを備える複数のタッチ検出電極と、を備え、
前記検出電極パターンは、前記透明導電体のない領域であるスリットを含み、複数の前記スリットは、前記走査信号線が延在する方向に所定の間隔のスリットピッチで、かつ前記走査信号線と異なる方向に延在しており、前記スリットピッチが、前記複数の画素電極が配列される所定の画素ピッチの自然数倍である。
【０００９】
本開示の電子機器は、上記タッチ検出機能付き表示装置を備えたものであり、例えば、テレビジョン装置、デジタルカメラ、パーソナルコンピュータ、ビデオカメラあるいは携帯電話等の携帯端末装置などが該当する。
【００１０】
本開示のタッチ検出機能付き表示装置及び電子機器では、透明導電体の有無により光の波長に差がでる可能性が抑制される。このため、タッチ検出機能付き表示装置は、本来表示する色をシフトさせてしまう可能性を抑制することができる。
【発明の効果】
【００１１】
本開示のタッチ検出機能付き表示装置及び電子機器によれば、視る視野角度によって、モアレ縞が視識されてしまう可能性を低減できる。
【図面の簡単な説明】
【００１２】
【図１】図１は、実施形態１に係るタッチ検出機能付き表示装置の一構成例を表すブロック図である。
【図２】図２は、静電容量型タッチ検出方式の基本原理を説明するため、指が接触または近接していない状態を表す説明図である。
【図３】図３は、図２に示す指が接触または近接していない状態の等価回路の例を示す説明図である。
【図４】図４は、静電容量型タッチ検出方式の基本原理を説明するため、指が接触または近接した状態を表す説明図である。
【図５】図５は、図４に示す指が接触または近接した状態の等価回路の例を示す説明図である。
【図６】図６は、駆動信号及びタッチ検出信号の波形の一例を表す図である。
【図７】図７は、タッチ検出機能付き表示装置を実装したモジュールの一例を示す図である。
【図８】図８は、タッチ検出機能付き表示装置を実装したモジュールの一例を示す図である。
【図９】図９は、実施形態１に係るタッチ検出機能付き表示デバイスの概略断面構造を表す断面図である。
【図１０】図１０は、実施形態１に係るタッチ検出機能付き表示デバイスの画素配列を表す回路図である。
【図１１】図１１は、実施形態１に係るタッチ検出機能付き表示デバイスの駆動電極及びタッチ検出電極の一構成例を表す斜視図である。
【図１２】図１２は、実施形態１に係るタッチ検出機能付き表示装置の一動作例を表すタイミング波形図である。
【図１３】図１３は、実施形態１に係るタッチ検出電極の配列を表す模式図である。
【図１４】図１４は、実施形態１に係るタッチ検出電極の拡大図を表す模式図である。
【図１５】図１５は、実施形態１に係るタッチ検出電極の拡大図を表す模式図である。
【図１６】図１６は、実施形態１に係るタッチ検出電極の拡大図を表す模式図である。
【図１７】図１７は、実施形態１に係るタッチ検出電極の配列とカラーフィルタの色領域との関係を説明するための模式図である。
【図１８】図１８は、図１７に示すタッチ検出電極の配列とカラーフィルタの色領域との関係の具体例を説明するための模式図である。
【図１９】図１９は、実施形態２に係るタッチ検出電極の配列とカラーフィルタの色領域との関係を説明するための模式図である。
【図２０】図２０は、図１９に示すタッチ検出電極の配列とカラーフィルタの色領域との関係の具体例を説明するための模式図である。
【図２１】図２１は、図１９に示すタッチ検出電極の配列とカラーフィルタの色領域との関係の変形例１を説明するための模式図である。
【図２２】図２２は、図１９に示すタッチ検出電極の配列とカラーフィルタの色領域との関係の変形例２を説明するための模式図である。
【図２３】図２３は、図１９に示すタッチ検出電極の配列とカラーフィルタの色領域との関係の変形例３を説明するための模式図である。
【図２４】図２４は、図１９に示すタッチ検出電極の配列とカラーフィルタの色領域との関係の変形例４を説明するための模式図である。
【図２５】図２５は、図１９に示すタッチ検出電極の配列とカラーフィルタの色領域との関係の変形例５を説明するための模式図である。
【図２６】図２６は、図１９に示すタッチ検出電極の配列とカラーフィルタの色領域との関係の変形例６を説明するための模式図である。
【図２７】図２７は、図１９に示すタッチ検出電極の配列とカラーフィルタの色領域との関係の変形例７を説明するための模式図である。
【図２８】図２８は、図１９に示すタッチ検出電極の配列とカラーフィルタの色領域との関係の変形例８を説明するための模式図である。
【図２９】図２９は、実施形態２に係るタッチ検出電極の配列を表す模式図である。
【図３０】図３０は、実施形態２に係るタッチ検出電極の配列を表す模式図である。
【図３１】図３１は、実施形態３に係るタッチ検出電極の配列に応じた輝度の変化を説明するための説明図である。
【図３２】図３２は、実施形態３に係るタッチ検出電極の配列とカラーフィルタの色領域との関係を説明するための模式図である。
【図３３】図３３は、実施形態３に係るタッチ検出電極の配列とカラーフィルタの色領域との関係を説明するための模式図である。
【図３４】図３４は、実施形態３に係るタッチ検出電極の配列とカラーフィルタの色領域との関係を説明するための模式図である。
【図３５】図３５は、実施形態３に係るタッチ検出電極の配列とカラーフィルタの色領域との関係を説明するための模式図である。
【図３６】図３６は、実施形態３に係るタッチ検出電極の配列とカラーフィルタの色領域との関係を説明するための模式図である。
【図３７】図３７は、本実施形態に係るタッチ検出機能付き表示装置を適用する電子機器の一例を示す図である。
【図３８】図３８は、本実施形態に係るタッチ検出機能付き表示装置を適用する電子機器の一例を示す図である。
【図３９】図３９は、本実施形態に係るタッチ検出機能付き表示装置を適用する電子機器の一例を示す図である。
【図４０】図４０は、本実施形態に係るタッチ検出機能付き表示装置を適用する電子機器の一例を示す図である。
【図４１】図４１は、本実施形態に係るタッチ検出機能付き表示装置を適用する電子機器の一例を示す図である。
【図４２】図４２は、本実施形態に係るタッチ検出機能付き表示装置を適用する電子機器の一例を示す図である。
【図４３】図４３は、本実施形態に係るタッチ検出機能付き表示装置を適用する電子機器の一例を示す図である。
【図４４】図４４は、本実施形態に係るタッチ検出機能付き表示装置を適用する電子機器の一例を示す図である。
【図４５】図４５は、本実施形態に係るタッチ検出機能付き表示装置を適用する電子機器の一例を示す図である。
【図４６】図４６は、本実施形態に係るタッチ検出機能付き表示装置を適用する電子機器の一例を示す図である。
【図４７】図４７は、本実施形態に係るタッチ検出機能付き表示装置を適用する電子機器の一例を示す図である。
【図４８】図４８は、本実施形態に係るタッチ検出機能付き表示装置を適用する電子機器の一例を示す図である。
【発明を実施するための形態】
【００１３】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（タッチ検出機能付き表示装置）
１−１．実施形態１
１−２．実施形態２
１−３．実施形態３
２．適用例（電子機器）
上記実施形態に係るタッチ検出機能付き表示装置が電子機器に適用されている例
３．本開示の構成
【００１４】
＜１−１．実施形態１＞
［構成例］
（全体構成例）
図１は、実施形態１に係るタッチ検出機能付き表示装置の一構成例を表すブロック図である。タッチ検出機能付き表示装置１は、タッチ検出機能付き表示デバイス１０と、制御部１１と、ゲートドライバ１２と、ソースドライバ１３と、駆動電極ドライバ１４と、タッチ検出部４０とを備えている。このタッチ検出機能付き表示装置１は、タッチ検出機能付き表示デバイス１０がタッチ検出機能を内蔵した表示デバイスである。タッチ検出機能付き表示デバイス１０は、表示素子として液晶表示素子を用いている液晶表示デバイス２０と静電容量型のタッチ検出デバイス３０とを一体化した、いわゆるインセルタイプの装置である。なお、タッチ検出機能付き表示デバイス１０は、表示素子として液晶表示素子を用いている液晶表示デバイス２０の上に、静電容量型のタッチ検出デバイス３０を装着した、いわゆるオンセルタイプの装置であってもよい。
【００１５】
液晶表示デバイス２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。
【００１６】
ゲートドライバ１２は、制御部１１から供給される制御信号に基づいて、タッチ検出機能付き表示デバイス１０の表示駆動の対象となる１水平ラインを順次選択する機能を有している。
【００１７】
ソースドライバ１３は、制御部１１から供給される制御信号に基づいて、タッチ検出機能付き表示デバイス１０の、後述する各画素Ｐｉｘ（副画素ＳＰｉｘ）に画素信号Ｖｐｉｘを供給する回路である。ソースドライバ１３は、１水平ライン分の映像信号から、液晶表示デバイス２０の複数の副画素ＳＰｉｘの画素信号Ｖｐｉｘを時分割多重化した画素信号を生成する。
【００１８】
駆動電極ドライバ１４は、制御部１１から供給される制御信号に基づいて、タッチ検出機能付き表示デバイス１０の、後述する駆動電極ＣＯＭＬに駆動信号Ｖｃｏｍを供給する回路である。
【００１９】
（静電容量型タッチ検出の基本原理）
タッチ検出デバイス３０は、静電容量型タッチ検出の基本原理に基づいて動作し、タッチ検出信号Ｖｄｅｔを出力する。図１〜図６を参照して、本実施形態のタッチ検出機能付き表示装置におけるタッチ検出の基本原理について説明する。図２は、静電容量型タッチ検出方式の基本原理を説明するため、指が接触または近接していない状態を表す説明図である。図３は、図２に示す指が接触または近接していない状態の等価回路の例を示す説明図である。図４は、静電容量型タッチ検出方式の基本原理を説明するため、指が接触または近接した状態を表す説明図である。図５は、図４に示す指が接触または近接した状態の等価回路の例を示す説明図である。
【００２０】
例えば、図２及び図４に示すように、容量素子Ｃ１は、誘電体Ｄを挟んで互いに対向配置された一対の電極、駆動電極Ｅ１及びタッチ検出電極Ｅ２を備えている。図３及び図５に示すように、容量素子Ｃ１は、その一端が交流信号源（駆動信号源）Ｓに接続され、他端Ｐは抵抗Ｒを介して接地されると共に、電圧検出器（タッチ検出部）ＤＥＴに接続される。
【００２１】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端Ｐ）に、出力波形（タッチ検出信号Ｖｄｅｔ）が現れる。なお、この交流矩形波Ｓｇは、後述するタッチ駆動信号Ｖｃｏｍｔに相当するものである。
【００２２】
指が接触（または近接）していない状態（非接触状態）では、図２及び図３に示すように、容量素子Ｃ１に対する充放電に伴って、容量素子Ｃ１の容量値に応じた電流Ｉ０が流れる。このときの容量素子Ｃ１の他端Ｐの電位波形は、例えば図６に示す波形Ｖ０のようになり、図３に示す電圧検出器ＤＥＴは、波形Ｖ０を検出する。
【００２３】
一方、指が接触（または近接）した状態（接触状態）では、図４に示すように、指によって形成される静電容量があたかも容量素子Ｃ２として容量素子Ｃ１に付加するように作用する。そして、図５に示す等価回路でみると、容量素子Ｃ２は容量素子Ｃ１に直列に追加された形となる。この状態では、容量素子Ｃ１、Ｃ２に対する充放電に伴って、容量素子Ｃ１、Ｃ２に電流Ｉ１、Ｉ２が流れる。このときの容量素子Ｃ１の他端Ｐの電位波形は、例えば図６の波形Ｖ１のようになり、電圧検出器ＤＥＴは、波形Ｖ１を検出する。このとき、他端Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖｔｈと比較し、このしきい値電圧以上であれば非接触状態と判断する一方、しきい値電圧Ｖｔｈ未満であれば接触状態と判断する。このようにして、タッチ検出が可能となる。
【００２４】
図１に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２５】
タッチ検出デバイス３０は、複数の後述するタッチ検出電極ＴＤＬから、検出ブロックごとにタッチ検出信号Ｖｄｅｔを出力し、タッチ検出部４０に供給するようになっている。
【００２６】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（上述した接触状態）の有無を検出し、タッチがある場合においてタッチ検出領域におけるその座標などを求める回路である。このタッチ検出部４０はアナログＬＰＦ（Ｌｏｗ  Ｐａｓｓ  Ｆｉｌｔｅｒ）部４２と、Ａ／Ｄ変換部４３と、信号処理部４４と、座標抽出部４５と、検出タイミング制御部４６とを備えている。
【００２７】
アナログＬＰＦ部４２は、タッチ検出デバイス３０から供給されたタッチ検出信号Ｖｄｅｔを入力とし、タッチ検出信号Ｖｄｅｔに含まれる高い周波数成分（ノイズ成分）を除去し、タッチ成分を取り出してそれぞれ出力する低域通過アナログフィルタである。アナログＬＰＦ部４２の入力端子のそれぞれと接地との間には、直流電位（０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。
【００２８】
Ａ／Ｄ変換部４３は、駆動信号Ｖｃｏｍに同期したタイミングで、アナログＬＰＦ部４２から出力されるアナログ信号をそれぞれサンプリングしてデジタル信号に変換する回路である。
【００２９】
信号処理部４４は、Ａ／Ｄ変換部４３の出力信号に含まれる、タッチ駆動信号Ｖｃｏｍｔをサンプリングした周波数よりも高い周波数成分（ノイズ成分）を除去し、タッチ成分を取り出すデジタルフィルタを備えている。信号処理部４４は、Ａ／Ｄ変換部４３の出力信号に基づいて、タッチ検出デバイス３０に対するタッチの有無を検出する論理回路である。
【００３０】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。
【００３１】
（モジュール）
図７及び図８は、タッチ検出機能付き表示装置を実装したモジュールの一例を示す図である。図７に示すように、タッチ検出機能付き表示装置１は、モジュールへ実装するにあたり、ガラス基板のＴＦＴ基板２１上に上述した駆動電極ドライバ１４を形成してもよい。
【００３２】
図７に示すように、タッチ検出機能付き表示装置１は、タッチ検出機能付き表示デバイス１０と、駆動電極ドライバ１４と、ＣＯＧ（Chip  On  Glass）１９Ａとを有している。タッチ検出機能付き表示デバイス１０は、いわゆるランドスケープ型（横長）のものである。このタッチ検出機能付き表示デバイス１０は、後述するＴＦＴ基板の表面に対する垂直方向において、駆動電極ＣＯＭＬと、駆動電極ＣＯＭＬと立体交差するように形成されたタッチ検出電極ＴＤＬとを模式的に示している。つまり、駆動電極ＣＯＭＬは、タッチ検出機能付き表示デバイス１０の短辺方向に形成されており、タッチ検出電極ＴＤＬは、タッチ検出機能付き表示デバイス１０の長辺方向に形成されている。タッチ検出電極ＴＤＬの出力は、タッチ検出機能付き表示デバイス１０の短辺側に設けられ、フレキシブル基板などにより構成された端子部Ｔを介して、このモジュールの外部に実装されたタッチ検出部４０と接続されている。駆動電極ドライバ１４は、ガラス基板であるＴＦＴ基板２１に形成されている。ＣＯＧ１９Ａは、ＴＦＴ基板２１に実装されたチップであり、図１に示した制御部１１、ゲートドライバ１２、ソースドライバ１３など、表示動作に必要な各回路を内蔵したものである。また、図８に示すように、タッチ検出機能付き表示装置１は、ＣＯＧ（Chip  On  Glass）１９Ｂに駆動電極ドライバ１４を内蔵してもよい。
【００３３】
図８に示すように、タッチ検出機能付き表示装置１は、モジュールはＣＯＧ１９Ｂを有している。図８に示すＣＯＧ１９Ｂは、上述した表示動作に必要な各回路に加え、駆動電極ドライバ１４をさらに内蔵したものである。タッチ検出機能付き表示装置１は、後述するように、表示動作の際に、１水平ラインずつ線順次走査を行う。つまり、タッチ検出機能付き表示装置１は、表示走査を、タッチ検出機能付き表示デバイス１０の短辺方向と平行に行う。一方、タッチ検出機能付き表示装置１は、タッチ検出動作の際に、駆動電極ＣＯＭＬに駆動信号Ｖｃｏｍを順次印加することにより、１検出ラインずつ線順次走査が行われる。つまり、タッチ検出機能付き表示装置１は、タッチ検出走査を、タッチ検出機能付き表示デバイス１０の長辺方向と平行に行う。
【００３４】
このように、図７及び図８に示すタッチ検出機能付き表示装置１は、タッチ検出信号Ｖｄｅｔを、タッチ検出機能付き表示デバイス１０の短辺側から出力する。これにより、タッチ検出機能付き表示装置１は、タッチ検出電極ＴＤＬの本数を少なくすることができ、端子部Ｔを介してタッチ検出部４０に接続する際の配線の引き回しが容易になる。図８に示すタッチ検出機能付き表示装置１は、ＣＯＧ１９Ｂに駆動電極ドライバ１４を内蔵しているので、額縁を狭くすることができる。
【００３５】
（タッチ検出機能付き表示デバイス１０）
次に、タッチ検出機能付き表示デバイス１０の構成例を詳細に説明する。
【００３６】
図９は、実施形態１に係るタッチ検出機能付き表示デバイスの概略断面構造を表す断面図である。図１０は、実施形態１に係るタッチ検出機能付き表示デバイスの画素配列を表す回路図である。タッチ検出機能付き表示デバイス１０は、画素基板２と、この画素基板２の表面に垂直な方向に対向して配置された対向基板３と、画素基板２と対向基板３との間に挿設された液晶層６とを備えている。
【００３７】
画素基板２は、回路基板としてのＴＦＴ基板２１と、このＴＦＴ基板２１上にマトリックス状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。ＴＦＴ基板２１には、図１０に示す各副画素ＳＰｉｘの薄膜トランジスタ（ＴＦＴ；Thin Film Transistor）素子Ｔｒ、各画素電極２２に画素信号Ｖｐｉｘを供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素に画像を表示するための画像信号を供給する。図１０に示す液晶表示デバイス２０は、マトリックス状に配列した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００３８】
副画素ＳＰｉｘは、走査信号線ＧＣＬにより、液晶表示デバイス２０の同じ行に属する他の副画素ＳＰｉｘと互いに接続されている。走査信号線ＧＣＬは、ゲートドライバ１２と接続され、ゲートドライバ１２より走査信号Ｖｓｃａｎが供給される。また、副画素ＳＰｉｘは、画素信号線ＳＧＬにより、液晶表示デバイス２０の同じ列に属する他の副画素ＳＰｉｘと互いに接続されている。画素信号線ＳＧＬは、ソースドライバ１３と接続され、ソースドライバ１３より画素信号Ｖｐｉｘが供給される。さらに、副画素ＳＰｉｘは、駆動電極ＣＯＭＬにより、液晶表示デバイス２０の同じ行に属する他の副画素ＳＰｉｘと互いに接続されている。駆動電極ＣＯＭＬは、駆動電極ドライバ１４と接続され、駆動電極ドライバ１４より駆動信号Ｖｃｏｍが供給される。つまり、この例では、同じ一行に属する複数の副画素ＳＰｉｘが一本の駆動電極ＣＯＭＬを共有するようになっている。
【００３９】
図１に示すゲートドライバ１２は、走査信号Ｖｓｃａｎを、図１０に示す走査信号線ＧＣＬを介して、副画素ＳＰｉｘのＴＦＴ素子Ｔｒのゲートに印加することにより、液晶表示デバイス２０にマトリックス状に形成されている副画素ＳＰｉｘのうちの１行（１水平ライン）を表示駆動の対象として順次選択する。図１に示すソースドライバ１３は、画素信号Ｖｐｉｘを、図１０に示す画素信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図９及び図１０に示す、所定の本数の駆動電極ＣＯＭＬからなるブロックごとに駆動電極ＣＯＭＬを駆動する。
【００４０】
上述したように、液晶表示デバイス２０は、ゲートドライバ１２が走査信号線ＧＣＬを時分割的に線順次走査するように駆動することにより、１水平ラインが順次選択される。また、液晶表示デバイス２０は、１水平ラインに属する画素Ｐｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含むブロックに対して駆動信号Ｖｃｏｍを印加するようになっている。
【００４１】
対向基板３は、ガラス基板３１と、このガラス基板３１の一方の面に形成されたカラーフィルタ３２と、を含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００４２】
カラーフィルタ３２は、赤（Ｒ）、緑（Ｇ）、青（Ｂ）の３色に着色された色領域３２Ｒ、３２Ｇ、３２Ｂを含む。カラーフィルタ３２は、ＴＦＴ基板２１と垂直な方向において、ＣＯＧ１９と対向しており、ＴＦＴ基板２１の表面と垂直な方向にみて重なり合う。
カラーフィルタ３２は、例えば赤（Ｒ）、緑（Ｇ）、青（Ｂ）の３色に着色されたカラーフィルタを周期的に配列して、上述した図１０に示す各副画素ＳＰｉｘに赤（Ｒ）、緑（Ｇ）、青（Ｂ）の３色に着色された色領域３２Ｒ、３２Ｇ、３２Ｂに対応付けられると共に、１組として画素Ｐｉｘに対応付けられている。カラーフィルタ３２は、ＴＦＴ基板２１と垂直な方向において、液晶層６と対向する。なお、カラーフィルタ３２は、異なる色に着色されていれば、他の色の組み合わせであってもよい。
【００４３】
本実施形態に係る駆動電極ＣＯＭＬは、液晶表示デバイス２０の共通電極（共通駆動電極）として機能するとともに、タッチ検出デバイス３０の駆動電極としても機能する。本実施形態では、一つの駆動電極ＣＯＭＬが一つの画素電極２２（一行を構成する画素電極２２）に対応するように配置されている。絶縁層２４は、画素電極２２と駆動電極ＣＯＭＬとを絶縁するとともに、画素電極２２とＴＦＴ基板２１の表面に形成された画素信号線ＳＧＬとを絶縁する。駆動電極ＣＯＭＬは、ＴＦＴ基板２１の表面に対する垂直方向において、画素電極２２に対向し、上述した走査信号線ＣＧＬが延在する方向と平行な方向に延在している。駆動電極ＣＯＭＬは、図示しない導電性を有するコンタクト導電柱を介して、駆動電極ドライバ１４から駆動電極ＣＯＭＬに交流矩形波形の駆動信号Ｖｃｏｍが印加されるようになっている。
【００４４】
液晶層６は、電界の状態に応じてそこを通過する光を変調するものであり、例えば、ＦＦＳ（フリンジフィールドスイッチング）またはＩＰＳ（インプレーンスイッチング）等の横電界モードの液晶を用いた液晶表示デバイスが用いられる。なお、図９に示す液晶層６と画素基板２との間、及び液晶層６と対向基板３との間には、それぞれ配向膜が配設されてもよい。
【００４５】
なお、液晶層６と画素基板２との間、及び液晶層６と対向基板３との間には、それぞれ配向膜が配設され、また、画素基板２の下面側には入射側偏光板が配置されてもよい。
【００４６】
図１１は、実施形態１に係るタッチ検出機能付き表示デバイスの駆動電極及びタッチ検出電極の一構成例を表す斜視図である。タッチ検出デバイス３０は、対向基板３に設けられた、駆動電極ＣＯＭＬ及びタッチ検出電極ＴＤＬにより構成されている。駆動電極ＣＯＭＬは、図の左右方向に延在する複数のストライプ状の電極パターンに分割されている。タッチ検出動作を行う際は、各電極パターンには、駆動電極ドライバ１４によって駆動信号Ｖｃｏｍが順次供給され、後述するように時分割的に線順次走査駆動が行われるようになっている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面と垂直な方向において、駆動電極ＣＯＭＬと対向している。タッチ検出電極ＴＤＬの各電極パターンは、タッチ検出部４０のアナログＬＰＦ部４２の入力にそれぞれ接続されている。駆動電極ＣＯＭＬとタッチ検出電極ＴＤＬにより互いに交差した電極パターンは、その交差部分に静電容量を生じさせている。
【００４７】
この構成により、タッチ検出デバイス３０では、タッチ検出動作を行う際、駆動電極ドライバ１４が駆動電極ブロックとして時分割的に線順次走査するように駆動することにより、駆動電極ＣＯＭＬの１検出ブロックが順次選択され、タッチ検出電極ＴＤＬからタッチ検出信号Ｖｄｅｔを出力することにより、１検出ブロックのタッチ検出が行われるようになっている。つまり、駆動電極ブロックは、上述したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図１１に示すように、互いに交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００４８】
ここで、ＴＦＴ基板２１は、本開示における「基板」の一具体例に対応する。画素電極２２は、本開示における「画素電極」の一具体例に対応する。走査信号線ＧＣＬは、本開示における「走査信号線」の一具体例に対応する。駆動電極ＣＯＭＬは、本開示における「駆動電極」の一具体例に対応する。タッチ検出電極ＴＤＬは、本開示における「タッチ検出電極」の一具体例に対応する。液晶素子ＬＣは、本開示における「表示機能層」の一具体例に対応する。ソースドライバ１３及び駆動電極ドライバ１４は、本開示における「走査駆動部」の一具体例に対応する。タッチ検出部４０は、本開示における「検出処理部」の一具体例に対応する。タッチ検出電極ＴＤＬは、本開示における「タッチ検出電極」に対応する。カラーフィルタ３２は、本開示における「カラーフィルタ」に対応する。
【００４９】
［動作及び作用］
続いて、実施形態１のタッチ検出機能付き表示装置１の動作及び作用について説明する。
【００５０】
駆動電極ＣＯＭＬは、液晶表示デバイス２０の共通駆動電極として機能するとともに、タッチ検出デバイス３０の駆動電極としても機能するため、駆動信号Ｖｃｏｍが互いに影響を及ぼす可能性がある。このため、駆動電極ＣＯＭＬは、表示動作を行う表示期間Ｂと、タッチ検出動作を行うタッチ検出動作期間Ａとに分けて駆動信号Ｖｃｏｍが印加される。駆動電極ドライバ１４は、表示動作を行う表示期間Ｂにおいては表示駆動信号として駆動信号Ｖｃｏｍを印加する。そして、駆動電極ドライバ１４は、タッチ検出動作を行うタッチ検出動作期間Ａにおいてはタッチ駆動信号として駆動信号Ｖｃｏｍを印加する。以下の説明では、表示駆動信号としての駆動信号Ｖｃｏｍを、表示駆動信号Ｖｃｏｍｄとして記載し、タッチ駆動信号としての駆動信号Ｖｃｏｍを、タッチ駆動信号Ｖｃｏｍｔとして記載する。
【００５１】
（全体動作概要）
制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらがお互いに同期して動作するように制御する。ゲートドライバ１２は、表示期間Ｂにおいて、液晶表示デバイス２０に走査信号Ｖｓｃａｎを供給し、表示駆動の対象となる１水平ラインを順次選択する。ソースドライバ１３は、表示期間Ｂにおいて、ゲートドライバ１２により選択された１水平ラインを構成する各画素Ｐｉｘに、画素信号Ｖｐｉｘを供給する。
【００５２】
駆動電極ドライバ１４は、表示期間Ｂでは、１水平ラインに係る駆動電極ブロックに表示駆動信号Ｖｃｏｍｄを印加し、タッチ検出動作期間Ａでは、タッチ検出動作に係る駆動電極ブロックに対して表示駆動信号Ｖｃｏｍｄよりも周波数の高いタッチ駆動信号Ｖｃｏｍｔを順次印加し、１検出ブロックを順次選択する。タッチ検出機能付き表示デバイス１０は、表示期間Ｂにおいて、ゲートドライバ１２、ソースドライバ１３、及び駆動電極ドライバ１４により供給された信号に基づいて表示動作を行う。タッチ検出機能付き表示デバイス１０は、タッチ検出動作期間Ａにおいて、駆動電極ドライバ１４により供給された信号に基づいてタッチ検出動作を行い、タッチ検出電極ＴＤＬからタッチ検出信号Ｖｄｅｔを出力する。アナログＬＰＦ部４２は、タッチ検出信号Ｖｄｅｔを増幅して出力する。Ａ／Ｄ変換部４３は、タッチ駆動信号Ｖｃｏｍｔに同期したタイミングで、アナログＬＰＦ部４２から出力されるアナログ信号をデジダル信号に変換する。信号処理部４４は、Ａ／Ｄ変換部４３の出力信号に基づいて、タッチ検出デバイス３０に対するタッチの有無を検出する。座標抽出部４５は、信号処理部４４においてタッチ検出がなされたときに、そのタッチパネル座標を求め、出力信号Ｖｏｕｔを出力する。制御部１１は、検出タイミング制御部４６を制御して、タッチ駆動信号Ｖｃｏｍｔのサンプリング周波数を変更する。
【００５３】
（詳細動作）
次に、タッチ検出機能付き表示装置１の詳細動作を説明する。図１２は、実施形態１に係るタッチ検出機能付き表示装置の一動作例を表すタイミング波形図である。図１２に示すように、液晶表示デバイス２０は、ゲートドライバ１２から供給される走査信号Ｖｓｃａｎに従って、走査信号線ＧＣＬのうちの、隣接する（ｎ−１）行目、ｎ行目、（ｎ＋１）行目の走査信号線ＧＣＬの１水平ラインずつを順次走査して表示を行う。同様に、駆動電極ドライバ１４は、制御部１１から供給される制御信号に基づいて、タッチ検出機能付き表示デバイス１０の、駆動電極ＣＯＭＬのうちの、隣接する（ｍ−１）列目、ｍ列目、（ｍ＋１）列目に供給する。
【００５４】
このように、タッチ検出機能付き表示装置１では、１表示水平期間１Ｈごとに、タッチ検出動作（タッチ検出期間Ａ）と表示動作（表示期間Ｂ）を時分割的に行う。タッチ検出動作では、１表示水平期間１Ｈごとに、異なる駆動電極ＣＯＭＬを選択して駆動信号Ｖｃｏｍを印加することにより、タッチ検出の走査を行う。以下に、その動作を詳細に説明する。
【００５５】
まず、ゲートドライバ１２が、（ｎ−１）行目の走査信号線ＧＣＬに対して走査信号Ｖｓｃａｎを印加し、走査信号Ｖｓｃａｎ（ｎ−１）が低レベルから高レベルに変化する。これにより、１表示水平期間１Ｈが開始する。
【００５６】
次に、タッチ検出期間Ａにおいて、駆動電極ドライバ１４が、（ｍ−１）列目の駆動電極ＣＯＭＬに対して駆動信号Ｖｃｏｍを印加し、駆動信号Ｖｃｏｍ（ｍ−１）が低レベルから高レベルに変化する。この駆動信号Ｖｃｏｍ（ｍ−１）は、静電容量を介してタッチ検出電極ＴＤＬに伝わり、タッチ検出信号Ｖｄｅｔが変化する。次に、駆動信号Ｖｃｏｍ（ｍ−１）が高レベルから低レベルに変化すると、タッチ検出信号Ｖｄｅｔは同様に変化する。このタッチ検出期間Ａにおけるタッチ検出信号Ｖｄｅｔの波形は、上述したタッチ検出の基本原理における、タッチ検出信号Ｖｄｅｔに対応するものである。Ａ／Ｄ変換部４３は、このタッチ検出期間Ａにおけるタッチ検出信号ＶｄｅｔをＡ／Ｄ変換することによりタッチ検出を行う。これにより、タッチ検出機能付き表示装置１では、１検出ラインのタッチ検出が行われる。
【００５７】
次に、表示期間Ｂにおいて、ソースドライバ１３が、画素信号線ＳＧＬに対して画素信号Ｖｐｉｘを印加し、１水平ラインに対する表示を行う。なお、図１２に示したように、この画素信号Ｖｐｉｘの変化が、寄生容量を介してタッチ検出電極ＴＤＬに伝わり、タッチ検出信号Ｖｄｅｔが変化し得るが、表示期間ＢではＡ／Ｄ変換部４３がＡ／Ｄ変換を行わないようにすることにより、この画素信号Ｖｐｉｘの変化のタッチ検出に対する影響を抑えることができる。ソースドライバ１３による画素信号Ｖｐｉｘの供給が終了したのち、ゲートドライバ１２が、（ｎ−１）行目の走査信号線ＧＣＬの走査信号Ｖｓｃａｎ（ｎ−１）を高レベルから低レベルに変化させ、１表示水平期間１Ｈが終了する。
【００５８】
次に、ゲートドライバ１２は、先ほどとは異なるｎ行目の走査信号線ＧＣＬに対して走査信号Ｖｓｃａｎを印加し、走査信号Ｖｓｃａｎ（ｎ）が低レベルから高レベルに変化する。これにより、次の１表示水平期間１Ｈが開始する。
【００５９】
次のタッチ検出期間Ａにおいて、駆動電極ドライバ１４が、先ほどとは異なるｍ列目の駆動電極ＣＯＭＬに対して駆動信号Ｖｃｏｍを印加する。そして、タッチ検出信号Ｖｄｅｔの変化を、Ａ／Ｄ変換部４３がＡ／Ｄ変換することにより、この１検出ラインのタッチ検出が行われる。
【００６０】
次に、表示期間Ｂにおいて、ソースドライバ１３が、画素信号線ＳＧＬに対して画素信号Ｖｐｉｘを印加し、１水平ラインに対する表示を行う。なお、本実施形態のタッチ検出機能付き表示装置１はドット反転駆動を行うため、ソースドライバ１３が印加する画素信号Ｖｐｉｘは、前の１表示水平期間１Ｈのものと比べて、その極性が反転している。この表示期間Ｂが終了した後、この１表示水平期間１Ｈが終了する。
【００６１】
これ以降、上述した動作を繰り返すことにより、タッチ検出機能付き表示装置１は、表示面全面にわたる走査により表示動作を行うとともに、タッチ検出面全面にわたる走査によりタッチ検出動作を行う。
【００６２】
上述したように、タッチ検出機能付き表示装置１では、表示走査を行う方向とタッチ検出走査を行う方向とが異なるように動作する。このことは、ある１表示水平期間１Ｈにおいて、必ず、ある画素Ｐｉｘにおいて、表示動作とタッチ検出動作の両方が行われることを意味している。タッチ検出機能付き表示装置１では、１表示水平期間１Ｈにおいて、タッチ検出動作はタッチ検出期間Ａに行い、表示動作は表示期間Ｂに行うようにしている。このように、タッチ検出動作と表示動作とを別々の期間に行うようにしたので、同じ１表示水平期間１Ｈにおいて表示動作とタッチ検出動作の両方を行うことができるとともに、表示動作のタッチ検出に対する影響を抑えることができる。
【００６３】
（タッチ検出電極の配列）
図１３は、実施形態１に係るタッチ検出電極の配列を表す模式図である。図１３に示すタッチ検出電極ＴＤＬは、図１０に示す走査信号線ＧＣＬが延在する方向とは異なる方向に延在する。このタッチ検出電極ＴＤＬが所定ピッチで配置される。タッチ検出電極ＴＤＬは、透明電極の材料としてＩＴＯ（Indium  Tin  Oxide）等の透明導電酸化物が用いられている。タッチ検出電極ＴＤＬは、透明ではあるが、所定の屈折率を有している。このため、タッチ検出機能付き表示装置１は、タッチ検出電極ＴＤＬの透明電極パターンの間にダミー電極ＴＤＤを設け、人間の目からタッチ検出電極を目立たなくなるように不可視化されている。
【００６４】
このため、対向基板３は、図１３に示すように、タッチ検出部４０に接続されていないダミー電極ＴＤＤをタッチ検出電極ＴＤＬ間であって、タッチ検出電極ＴＤＬの延在方向と平行に配列する。ダミー電極ＴＤＤは、タッチ検出電極ＴＤＬと同じ材料で形成されている。これにより、タッチ検出電極ＴＤＬの視認性が緩和される。
【００６５】
図１４、図１５及び図１６は、実施形態１に係るタッチ検出電極の拡大図を表す模式図である。図１４は、図１３に示すタッチ検出電極ＴＤＬ及びダミー電極ＴＤＤの具体的な拡大図である。図１５は、図１４に示すタッチ検出電極ＴＤＬの拡大図である。図１６は、図１５に示すタッチ検出電極ＴＤＬの透明電極パターンの中の位置Ｕにあるスリットを拡大して示している。
【００６６】
図１４、図１５及び図１６に示すように、タッチ検出電極ＴＤＬは、検出電極パターン６１と、検出電極パターン６１間を導通する検出電極間導通部６２と、を含む。検出電極パターン６１と検出電極間導通部６２とは、非検出領域６５の周囲を囲む、ＩＴＯ等の透明導電体ｅのパターンとなっている。
【００６７】
検出電極パターン６１は、透明ではあるが、所定の屈折率を有している。このため、タッチ検出機能付き表示装置１は、タッチ検出電極ＴＤＬの検出電極パターン６１の中に、ＩＴＯ等の透明導電体ｅのないスリットＳＬを設け、人間の目からタッチ検出電極ＴＤＬを目立たなくなるように、不可視化している。
【００６８】
同様に、図１５に示す検出電極パターン６１で囲まれる、非検出領域６５の内部にも、図１４に示すＩＴＯ等の透明導電体ｅでダミーパターンｄｍｐを配置し、人間の目からタッチ検出電極ＴＤＬを目立たなくなるように、不可視化している。このダミーパターンｄｍｐは、短冊状のダミーパターン６４に、上述したスリットＳＬで区切られている。
【００６９】
そして、図１４に示すダミー電極ＴＤＤは、ＩＴＯ等の透明導電体ｅの短冊状のダミーパターン６３に、上述したスリットＳＬで区切られている。そして、ダミー電極ＴＤＤとタッチ検出電極ＴＤＬとの間も、上述したスリットＳＬで区切られている。そして、ダミー電極ＴＤＤとタッチ検出電極ＴＤＬとの間にあるスリットＳＬ及び検出電極パターン６１、ダミーパターンｄｍｐ、ダミー電極ＴＤＤにある、スリットＳＬは、等間隔に配列している。
【００７０】
図１７は、実施形態１に係るタッチ検出電極の配列とカラーフィルタの色領域との関係を説明するための模式図である。図１８は、図１７に示すタッチ検出電極の配列とカラーフィルタの色領域との関係の具体例を説明するための模式図である。図１７及び図１８に示すように、カラーフィルタ３２は、赤（Ｒ）、緑（Ｇ）、青（Ｂ）の３色に着色された色領域３２Ｒ、３２Ｇ、３２Ｂがある。色領域３２Ｒ、３２Ｇ、３２Ｂは、通常、走査信号線ＧＣＬが延在する方向と立体交差し、直交する方向にそれぞれ延在している。また、図１７に示すタッチ検出電極ＴＤＬの検出電極パターン６１も、走査信号線ＧＣＬが延在する方向と立体交差し、直交する方向にそれぞれ延在している。スリットＳＬは、図１８に示すように、走査信号線ＧＣＬと直交する方向に直線である。
【００７１】
上述したように、カラーフィルタ３２は、赤（Ｒ）、緑（Ｇ）、青（Ｂ）の３色に着色された色領域３２Ｒ、３２Ｇ、３２Ｂが副画素ＳＰｉｘ毎に対応付けられると共に、１組として画素Ｐｉｘに対応付けられている。走査信号線ＧＣＬの延在方向における、画素Ｐｉｘのピッチ（１組の副画素ＳＰｉｘのピッチ）を画素ピッチＧＬとし、上述した走査信号線ＧＣＬの延在方向における、スリットＳＬのピッチをスリットピッチＬＸとすると、スリットピッチＬＸは、画素ピッチＧＬの自然数倍のピッチで配置されている。
【００７２】
このように、タッチ検出電極ＴＤＬの検出電極パターン６１におけるスリットＳＬは、マトリックス状に配設された複数の画素電極２２の画素Ｐｉｘのピッチの自然数倍（例えば１倍）の間隔をおいて、配列されている。また、同様にダミーパターン６３、６４におけるスリットＳＬは、マトリックス状に配設された複数の画素電極２２の画素Ｐｉｘのピッチの自然数倍（例えば１倍）の間隔をおいて、配置されている。
【００７３】
［作用効果］
液晶表示デバイス２０の画素Ｐｉｘからタッチ検出電極ＴＤＬの検出電極パターン６１、ダミーパターン６３、ダミーパターン６４を通過して人間に到達する光と、液晶表示デバイス２０の画素ＰｉｘからスリットＳＬを通過して人間に到達する光とは、透明導電体ｅの有無により光の波長に差がでる可能性がある。この光の波長の差は、本来表示すべき色の変化として現れ、人間がタッチ検出機能付き表示デバイス１０を視る視野角度によって、色ずれ模様（色モアレ）の縞（以下、モアレ縞）が視識されてしまう場合がある。
【００７４】
上述したように、実施形態１に係るスリットＳＬは、マトリックス状に配設された複数の画素電極２２の画素Ｐｉｘのピッチの自然数倍（例えば１倍）の間隔をおいて配置されている。このため、実施形態１に係るスリットＳＬは、ＴＦＴ基板２１の表面と垂直な方向にみて特定の色領域に、重なり合う。例えば、図１７に示すように、スリットＳＬは、ＴＦＴ基板２１の表面と垂直な方向にみて特定の色領域３２Ｂに、重なり合う。または、図１８に示すように、スリットＳＬは、ＴＦＴ基板２１の表面と垂直な方向にみて特定の色領域３２Ｇに、重なり合う。このため、実施形態１に係るタッチ検出機能付き表示装置１は、スリットＳＬが、画素Ｐｉｘごとに透過率の低下のばらつきを生じさせない。
【００７５】
また、実施形態１に係るタッチ検出機能付き表示装置１は、スリットＳＬが副画素ＳＰｉｘごとにある場合に比べ、スリットＳＬの影響を低減できる。その結果、実施形態１に係るタッチ検出機能付き表示装置１は、透明導電体ｅの有無により光の波長に差がでる可能性が抑制される。このため、実施形態１に係るタッチ検出機能付き表示装置１は、液晶表示デバイス２０が本来表示する色をシフトさせてしまう可能性を抑制することができる。その結果、実施形態２に係るタッチ検出機能付き表示デバイス１０は、視る視野角度によって、モアレ縞が視識されてしまう可能性を低減できる。
【００７６】
＜１−２．実施形態２＞
次に、実施形態２に係るタッチ検出機能付き表示装置１について説明する。図１９は、実施形態２に係るタッチ検出電極の配列とカラーフィルタの色領域との関係を説明するための模式図である。図２０は、図１９に示すタッチ検出電極の配列とカラーフィルタの色領域との関係の具体例を説明するための模式図である。なお、上述した実施形態１で説明したものと同じ構成要素には同一の符号を付して重複する説明は省略する。
【００７７】
図１９及び図２０に示すように、カラーフィルタ３２は、赤（Ｒ）、緑（Ｇ）、青（Ｂ）の３色に着色された色領域３２Ｒ、３２Ｇ、３２Ｂがある。色領域３２Ｒ、３２Ｇ、３２Ｂは、通常、走査信号線ＧＣＬが延在する方向と立体交差し、直交する方向にそれぞれ延在している。また、図１７に示すタッチ検出電極ＴＤＬの検出電極パターン６１も、走査信号線ＧＣＬが延在する方向と立体交差し、直交する方向にそれぞれ延在している。図１９に示すように、スリットＳＬは、走査信号線ＧＣＬと直交する直線に対して、一定の間隔で角度θをつけた直線が屈曲部で折り返す、ジグザグ線である。
【００７８】
上述したように、カラーフィルタ３２は、赤（Ｒ）、緑（Ｇ）、青（Ｂ）の３色に着色された色領域３２Ｒ、３２Ｇ、３２Ｂが副画素ＳＰｉｘ毎に対応付けられると共に、１組として画素Ｐｉｘに対応付けられている。走査信号線ＧＣＬの延在方向における、画素Ｐｉｘのピッチ（１組の副画素ＳＰｉｘのピッチ）を画素ピッチＧＬとし、上述した走査信号線ＧＣＬの延在方向における、スリットＳＬのピッチをスリットピッチＬＸとすると、スリットピッチＬＸは、画素ピッチＧＬの自然数倍のピッチで配置されている。
【００７９】
例えば、図１９において、スリットピッチＬＸは、画素ピッチＧＬの２倍のピッチで配置されている。また、図２０において、スリットピッチＬＸは、画素ピッチＧＬの１倍のピッチで配置されている。図１９に示すように、スリットＳＬは、屈曲部で折り返す、スリット折り返しピッチをＤＬとすると、スリット折り返しピッチＤＬは、査信号線ＧＣＬの延在方向における、副画素ＳＰｉｘのピッチの３倍である。そして、スリットＳＬは、４つの副画素ＳＰｉｘに跨がって折り返している。
【００８０】
このように、タッチ検出電極ＴＤＬの検出電極パターン６１におけるスリットＳＬは、マトリックス状に配設された複数の画素電極２２の画素Ｐｉｘのピッチの自然数倍（例えば２倍）の間隔をおいて、配列されている。また、同様にダミーパターン６３、６４におけるスリットＳＬは、マトリックス状に配設された複数の画素電極２２の画素Ｐｉｘのピッチの自然数倍（例えば２倍）の間隔をおいて、配置されている。
【００８１】
［作用効果］
実施形態１に係るスリットＳＬと同様に、実施形態２に係るスリットＳＬは、マトリックス状に配設された複数の画素電極２２の画素Ｐｉｘのピッチの自然数倍（例えば２倍）の間隔をおいて配置されている。ここで、実施形態１に係るスリットＳＬは、スリットピッチＬＸを大きくしていくことにより、スリットＳＬが副画素ＳＰｉｘごとにある場合に比べ、スリットＳＬの影響を低減できる。しかしながら、スリットピッチＬＸが１５０μｍ以上のピッチで配置されている場合、不可視化の効果が薄れ、例えばタッチ検出電極ＴＤＬを視認されてしまう可能性がある。このため、実施形態２のスリットＳＬは、スリットＳＬをジグザグ線としている。実施形態２のスリットＳＬは、ＴＦＴ基板２１の表面と垂直な方向にみて、複数の色領域を跨がるように重なりあう。
【００８２】
例えば、図１９に示すように、スリットＳＬは、ＴＦＴ基板２１の表面と垂直な方向にみて特定の色領域３２Ｂ、３２Ｒ、３２Ｇに重なり合う。または、図２０に示すように、スリットＳＬは、ＴＦＴ基板２１の表面と垂直な方向にみて特定の色領域３２Ｂ、３２Ｇに重なり合う。このため、実施形態２に係るタッチ検出機能付き表示装置１は、スリットＳＬが、画素Ｐｉｘごとに透過率の低下のばらつきを生じさせない。これにより、実施形態２に係るスリットＳＬは、不可視化の作用を強めることができ、スリットピッチＬＸを大きくしても、検出電極パターン６１、ダミーパターン６３、６４の視認を抑制することができる。
【００８３】
また、実施形態２に係るタッチ検出機能付き表示装置１は、スリットＳＬが副画素ＳＰｉｘごとにある場合に比べ、スリットＳＬの影響を低減できる。その結果、実施形態２に係るタッチ検出機能付き表示装置１は、透明導電体ｅの有無により光の波長に差がでる可能性が抑制される。このため、実施形態２に係るタッチ検出機能付き表示装置１は、液晶表示デバイス２０が本来表示する色をシフトさせてしまう可能性を抑制することができる。その結果、実施形態２に係るタッチ検出機能付き表示デバイス１０は、視る視野角度によって、モアレ縞が視識されてしまう可能性を低減できる。
【００８４】
［実施形態２の変形例１］
図２１は、図１９に示すタッチ検出電極の配列とカラーフィルタの色領域との関係の変形例１を説明するための模式図である。図２１に示すように、実施形態２の変形例１に係るスリットＳＬは、走査信号線ＧＣＬと直交する直線に対して、一定の間隔で角度θをつけた直線が屈曲部ＳＬＱで折り返す波線である。上述したジグザグ線に比べ、屈曲部ＳＬＱの角がとれた曲線となっており、屈曲部ＳＬＱの影響による抵抗の増加を抑制することができる。なお、実施形態で説明する、スリットＳＬがジグザグ線で説明した例は、すべて、波線も適用することができる。
【００８５】
［実施形態２の変形例２］
図２２は、図１９に示すタッチ検出電極の配列とカラーフィルタの色領域との関係の変形例２を説明するための模式図である。図２２に示すように、実施形態２の変形例２に係るスリットピッチＬＸは、画素ピッチＧＬの自然数倍（例えば１倍）のピッチで配置されている。実施形態２の変形例２のスリットＳＬは、スリットＳＬをジグザグ線としている。実施形態２の変形例２のスリットＳＬは、ＴＦＴ基板２１の表面と垂直な方向にみて、複数の色領域を跨がるように重なり合わない。
【００８６】
スリット折り返しピッチＤＬは、走査信号線ＧＣＬの延在方向における、副画素ＳＰｉｘのピッチＳＰＬ以下である。そして、スリットＳＬは、１つの副画素ＳＰｉｘの列の中で折り返している。そして、スリットＳＬは、ＴＦＴ基板２１の表面と垂直な方向にみて特定の色領域３２Ｂに、重なり合う。または、図１８に示すように、スリットＳＬは、ＴＦＴ基板２１の表面と垂直な方向にみて特定の色領域３２Ｇに、重なり合う。このため、実施形態２の変形例２に係るタッチ検出機能付き表示装置１は、スリットＳＬが、画素Ｐｉｘごとに透過率の低下のばらつきを生じさせない。また、スリットＳＬは、ジグザグ線である形状効果で、不可視化を強める効果を期待できる。
【００８７】
［実施形態２の変形例３］
図２３は、図１９に示すタッチ検出電極の配列とカラーフィルタの色領域との関係の変形例３を説明するための模式図である。図２３に示すように、実施形態２の変形例３に係るスリットピッチＬＸは、画素ピッチＧＬの自然数倍（例えば１倍）のピッチで配置されている。実施形態２の変形例３のスリットＳＬは、スリットＳＬをジグザグ線としている。実施形態２の変形例３のスリットＳＬは、ＴＦＴ基板２１の表面と垂直な方向にみて、複数の色領域を跨がるように重なり合う。
【００８８】
スリット折り返しピッチＤＬは、走査信号線ＧＣＬの延在方向における、副画素ＳＰｉｘのピッチＳＰＬの２倍以下である。そして、スリットＳＬは、２つの副画素ＳＰｉｘに跨がって折り返している。
【００８９】
例えば、図２３に示すように、スリットＳＬは、ＴＦＴ基板２１の表面と垂直な方向にみて複数の色領域３２Ｇ、３２Ｂに重なり合う。このため、実施形態２の変形例３に係るタッチ検出機能付き表示装置１は、スリットＳＬが、画素Ｐｉｘごとに透過率の低下のばらつきを生じさせない。これにより、実施形態２の変形例３に係るスリットＳＬは、不可視化の作用を強めることができ、スリットピッチＬＸを大きくしても、検出電極パターン６１、ダミーパターン６３、６４の視認を抑制することができる。
【００９０】
また、実施形態２の変形例３に係るタッチ検出機能付き表示装置１は、スリットＳＬが副画素ＳＰｉｘごとにある場合に比べ、スリットＳＬの影響を低減できる。その結果、実施形態２の変形例３に係るタッチ検出機能付き表示装置１は、透明導電体ｅの有無により光の波長に差がでる可能性が抑制される。このため、実施形態２の変形例３に係るタッチ検出機能付き表示装置１は、液晶表示デバイス２０が本来表示する色をシフトさせてしまう可能性を抑制することができる。その結果、実施形態２の変形例３に係るタッチ検出機能付き表示デバイス１０は、視る視野角度によって、モアレ縞が視識されてしまう可能性を低減できる。
【００９１】
［実施形態２の変形例４］
図２４は、図１９に示すタッチ検出電極の配列とカラーフィルタの色領域との関係の変形例４を説明するための模式図である。図２４に図示されていないが、上述した実施形態２と同様に、実施形態２の変形例４に係るスリットピッチＬＸは、画素ピッチＧＬの自然数倍（例えば３倍）のピッチで配置されている。実施形態２の変形例４のスリットＳＬは、スリットＳＬをジグザグ線としている。実施形態２の変形例４のスリットＳＬは、ＴＦＴ基板２１の表面と垂直な方向にみて、複数の色領域を跨がるように重なり合う。
【００９２】
スリット折り返しピッチＤＬは、走査信号線ＧＣＬの延在方向における、副画素ＳＰｉｘのピッチＳＰＬの６倍以下である。そして、スリットＳＬは、６つの副画素ＳＰｉｘに跨がって折り返している。
【００９３】
例えば、図２４に示すように、スリットＳＬは、ＴＦＴ基板２１の表面と垂直な方向にみて複数の色領域３２Ｒ、３２Ｇ、３２Ｂ、３２Ｒ、３２Ｇ、３２Ｂに重なり合う。このため、実施形態２の変形例４に係るタッチ検出機能付き表示装置１は、スリットＳＬが、画素Ｐｉｘごとに透過率の低下のばらつきを生じさせない。これにより、実施形態２の変形例４に係るスリットＳＬは、不可視化の作用を強めることができ、スリットピッチＬＸを大きくしても、検出電極パターン６１、ダミーパターン６３、６４の視認を抑制することができる。
【００９４】
また、実施形態２の変形例４に係るタッチ検出機能付き表示装置１は、スリットＳＬが副画素ＳＰｉｘごとにある場合に比べ、スリットＳＬの影響を低減できる。その結果、実施形態２の変形例４に係るタッチ検出機能付き表示装置１は、透明導電体ｅの有無により光の波長に差がでる可能性が抑制される。このため、実施形態２の変形例４に係るタッチ検出機能付き表示装置１は、液晶表示デバイス２０が本来表示する色をシフトさせてしまう可能性を抑制することができる。その結果、実施形態２の変形例４に係るタッチ検出機能付き表示デバイス１０は、視る視野角度によって、モアレ縞が視識されてしまう可能性を低減できる。
【００９５】
［実施形態２の変形例５］
図２５は、図１９に示すタッチ検出電極の配列とカラーフィルタの色領域との関係の変形例５を説明するための模式図である。図２５に図示されていないが、上述した実施形態２と同様に、実施形態２の変形例５に係るスリットピッチＬＸは、画素ピッチＧＬの自然数倍（例えば３倍）のピッチで配置されている。実施形態２の変形例５のスリットＳＬは、スリットＳＬをジグザグ線としている。実施形態２の変形例５のスリットＳＬは、ＴＦＴ基板２１の表面と垂直な方向にみて、図１０に示す画素信号線ＳＧＬの位置に重なり合う。このため、スリットＳＬを透過する光は、画素信号線ＳＧＬで減光されている。その結果、スリットＳＬの屈曲部ＳＬＱで生じる可能性のある散乱光が低減される。このため、実施形態２の変形例５に係るスリットＳＬは、不可視化の作用を強めることができ、スリットピッチＬＸを大きくしても、検出電極パターン６１、ダミーパターン６３、６４の視認を抑制することができる。
【００９６】
［実施形態２の変形例６］
図２６は、図１９に示すタッチ検出電極の配列とカラーフィルタの色領域との関係の変形例６を説明するための模式図である。実施形態２の変形例６に係るスリットピッチは、画素ピッチの自然数倍（例えば１倍）のピッチで配置されている。実施形態２の変形例６のスリットＳＬは、スリットＳＬをジグザグ線としている。
【００９７】
実施形態２の変形例６のスリットＳＬの屈曲部ＳＬＱは、ＴＦＴ基板２１の表面と垂直な方向にみて、図１０に示す走査信号線ＧＣＬの位置に重なり合う。このため、スリットＳＬを透過する光は、走査信号線ＧＣＬで減光されている。その結果、スリットＳＬの屈曲部ＳＬＱで生じる可能性のある散乱光が低減される。このため、実施形態２の変形例６に係るスリットＳＬは、不可視化の作用を強めることができ、スリットピッチＬＸを大きくしても、検出電極パターン６１、ダミーパターン６３、６４の視認を抑制することができる。
【００９８】
なお、実施形態２の変形例６のスリットＳＬの屈曲部ＳＬＱは、ＴＦＴ基板２１の表面と垂直な方向にみて、図１０に示す走査信号線ＧＣＬの位置に全て重なり合う。スリットＳＬの屈曲部ＳＬＱは、ＴＦＴ基板２１の表面と垂直な方向にみて、走査信号線ＧＣＬの位置に、一部が重なり合うようにしてもよい。この場合、屈曲部ＳＬＱと、走査信号線ＧＣＬとが重なり合うだけ、作用を強めることができる。
【００９９】
［実施形態２の変形例７］
図２７は、図１９に示すタッチ検出電極の配列とカラーフィルタの色領域との関係の変形例７を説明するための模式図である。実施形態２の変形例７に係るスリットピッチは、画素ピッチの自然数倍（例えば１倍）のピッチで配置されている。実施形態２の変形例７のスリットＳＬは、スリットＳＬをジグザグ線としている。
【０１００】
図２７に示すように、上述したカラーフィルタ３２と同層のブラックマトリックスとよばれる遮光作用のある遮光層ＢＭが、副画素ＳＰｉｘの縁部に配置されている。実施形態２の変形例７のスリットＳＬの屈曲部ＳＬＱは、ＴＦＴ基板２１の表面と垂直な方向にみて、遮光層ＢＭの位置に重なり合う。このため、スリットＳＬを透過する光は、遮光層ＢＭで減光されている。その結果、スリットＳＬの屈曲部ＳＬＱで生じる可能性のある散乱光が低減される。このため、実施形態２の変形例７に係るスリットＳＬは、不可視化の作用を強めることができ、スリットピッチＬＸを大きくしても、検出電極パターン６１、ダミーパターン６３、６４の視認を抑制することができる。
【０１０１】
［実施形態２の変形例８］
図２８は、図１９に示すタッチ検出電極の配列とカラーフィルタの色領域との関係の変形例８を説明するための模式図である。実施形態２の変形例８に係るスリットピッチは、画素ピッチの自然数倍（例えば１倍）のピッチで配置されている。実施形態２の変形例８のスリットＳＬは、スリットＳＬをジグザグ線としている。上述した実施形態２、実施形態２の変形例１から実施形態２の変形例７に示した、副画素ＳＰｉｘは、ディアル画素と呼ばれる形状である。副画素ＳＰｉｘは、これに限られず、疑似ディアル画素と呼ばれる、図２８に示す形状であってもよい。
【０１０２】
［実施形態２の変形例９］
図２９及び図３０は、実施形態２に係るタッチ検出電極の配列を表す模式図である。上述したように、タッチ検出電極ＴＤＬは、検出電極パターン６１と、検出電極パターン６１間を導通する検出電極間導通部６２と、を含む。検出電極パターン６１と検出電極間導通部６２とは、非検出領域６５の周囲を囲む。図２９及び図３０において、上述したスリットＳＬの図示は省略されているが、スリットＳＬをジグザグ線としているため、検出電極パターン６１の非検出領域６５側の境界線６６、ダミー電極ＴＤＤ側の境界線６７の形状もジグザグになる。
【０１０３】
図２９に示す電極パターン６１は、電極パターン６１の境界線６６と、境界線６７とが、電極パターン６１の延在方向（上述した走査信号線ＧＣＬの延在する方向と直交する方向）で折り返す線対称となっている。また、図３０に示す検出電極パターン６１は、検出電極パターン６１の境界線６６と、境界線６７とが、境界線６７とが平行な箇所がある。このため、境界線６６と境界線６７との間の、検出電極パターン６１の延在方向と直交する方向（上述した走査信号線ＧＣＬの延在する方向平行な方向）の幅は、同程度となる。そして、図３０に示す検出電極パターン６１は、図２９に示す検出電極パターン６１よりも、部分的な電気的損失を低減でき、タッチ検出デバイス３０面内での抵抗特性のばらつきを低減することができる。
【０１０４】
＜１−３．実施形態３＞
次に、実施形態３に係るタッチ検出機能付き表示装置１について説明する。図３１は、実施形態３に係るタッチ検出電極の配列に応じた輝度の変化を説明するための説明図である。図３２から図３６は、実施形態３に係るタッチ検出電極の配列とカラーフィルタの色領域との関係を説明するための模式図である。なお、上述した実施形態１及び実施形態２で説明したものと同じ構成要素には同一の符号を付して重複する説明は省略する。
【０１０５】
上述したカラーフィルタ３２は、図３１に示す、赤（Ｒ）、緑（Ｇ）、青（Ｂ）、白（Ｗ）の４色に着色された色領域３２Ｒ、３２Ｇ、３２Ｂ、３２Ｗを含む。カラーフィルタ３２は、例えば赤（Ｒ）、緑（Ｇ）、青（Ｂ）、白（Ｗ）の４色に着色されたカラーフィルタを周期的に配列して、上述した図１０に示す各副画素ＳＰｉｘに赤（Ｒ）、緑（Ｇ）、青（Ｂ）、白（Ｗ）の４色に着色された色領域３２Ｒ、３２Ｇ、３２Ｂ、３２Ｗを対応付けると共に、１組として画素Ｐｉｘに対応付けている。
【０１０６】
図３１に示すパターン（ａ）は、実施形態１に記載したスリットＳＬが、赤（Ｒ）、緑（Ｇ）、青（Ｂ）、白（Ｗ）の４色に着色された色領域３２Ｒ、３２Ｇ、３２Ｂ、３２Ｗのうち、青（Ｂ）の色領域３２Ｂに重なりあう状態を示している。
【０１０７】
図３１に示すパターン（ｂ）は、実施形態１に記載したスリットＳＬが、赤（Ｒ）、緑（Ｇ）、青（Ｂ）、白（Ｗ）の４色に着色された色領域３２Ｒ、３２Ｇ、３２Ｂ、３２Ｗのうち、赤（Ｒ）の色領域３２Ｒに重なりあう状態を示している。
【０１０８】
図３１に示すパターン（ｃ）は、実施形態１に記載したスリットＳＬが、赤（Ｒ）、緑（Ｇ）、青（Ｂ）、白（Ｗ）の４色に着色された色領域３２Ｒ、３２Ｇ、３２Ｂ、３２Ｗのうち、緑（Ｇ）の色領域３２Ｇに重なりあう状態を示している。
【０１０９】
図３１に示すパターン（ｄ）は、実施形態１に記載したスリットＳＬが、赤（Ｒ）、緑（Ｇ）、青（Ｂ）、白（Ｗ）の４色に着色された色領域３２Ｒ、３２Ｇ、３２Ｂ、３２Ｗのうち、白（Ｗ）の色領域３２Ｗに重なりあう状態を示している。
【０１１０】
図３１に示すパターン（ａ）、（ｂ）、（ｃ）及び（ｄ）は、輝度が低いＢＬｏｗから、輝度が高いＢＨｉｇｈの順に並べることができる。このため、図３２に示す色領域３２Ｒ、３２Ｇは、走査信号線ＧＣＬの延在方向と直交する方向に延在させ、色領域３２Ｂ、３２Ｗは、走査信号線ＧＣＬを超えるごとに交互に配置されるようにする。そしてスリットＳＬは、走査信号線ＧＣＬの延在方向における、２つの副画素ＳＰｉｘのピッチ以内で折り返す、ジグザグ線であり、スリットピッチは、画素ピッチの自然数倍（例えば１倍）のピッチで配置されている。
【０１１１】
図３３に示す色領域３２Ｒ、３２Ｂは、走査信号線ＧＣＬの延在方向と直交する方向に走査信号線ＧＣＬを超えるごとに交互に配置され、色領域３２Ｇ、３２Ｗは、走査信号線ＧＣＬを超えるごとに交互に配置されるようにする。そしてスリットＳＬは、走査信号線ＧＣＬの延在方向における、２つの副画素ＳＰｉｘのピッチ以内で折り返す、ジグザグ線であり、スリットピッチは、画素ピッチの自然数倍（例えば２倍）のピッチで配置されている。
【０１１２】
図３４に示す色領域３２Ｒ、３２Ｇ、３２Ｂ、３２Ｗは、走査信号線ＧＣＬの延在方向と直交する方向に延在させるようにする。そしてスリットＳＬは、走査信号線ＧＣＬの延在方向における、２つの副画素ＳＰｉｘのピッチ以内で折り返す、ジグザグ線であり、スリットピッチは、画素ピッチの自然数倍（例えば１倍）のピッチで配置されている。
【０１１３】
図３５に示す色領域３２Ｒ、３２Ｇは、走査信号線ＧＣＬの延在方向と直交する方向に延在させ、色領域３２Ｂ、３２Ｗは、走査信号線ＧＣＬを超えるごとに交互に配置されるようにする。そしてスリットＳＬは、走査信号線ＧＣＬの延在方向における、２つの副画素ＳＰｉｘのピッチ以内で折り返す、ジグザグ線であり、スリットピッチは、画素ピッチの自然数倍（例えば１倍）のピッチで配置されている。そして、スリットＳＬは、最も影響の大きな白（Ｗ）の色領域３２Ｗと重なりあうことを避けることができる。このような配置とすることにより、図３１に示したような、パターン（ｄ）のように、輝度が高く、スリットＳＬの影響が大きくでることで、不可視化を弱める可能性を抑制することができる。
【０１１４】
図３６に示す色領域３２Ｒ、３２Ｂは、走査信号線ＧＣＬの延在方向と直交する方向に走査信号線ＧＣＬを超えるごとに交互に配置され、色領域３２Ｇ、３２Ｗは、走査信号線ＧＣＬを超えるごとに交互に配置されるようにする。そしてスリットＳＬは、走査信号線ＧＣＬの延在方向における、１つの副画素ＳＰｉｘのピッチ以内で折り返す、ジグザグ線であり、スリットピッチは、画素ピッチの自然数倍（例えば１倍）のピッチで配置されている。そして、スリットＳＬは、最も影響の大きな白（Ｗ）の色領域３２Ｗと重なりあうことを避けることができる。このような配置とすることにより、図３１に示したような、パターン（ｄ）のように、輝度が高く、スリットＳＬの影響が大きくでることで、不可視化を弱める可能性を抑制することができる。
【０１１５】
以上、いくつかの実施形態及び変形例を挙げて実施形態を説明したが、本開示はこれらの実施形態等には限定されず、種々の変形が可能である。
【０１１６】
上記実施形態では、上記実施形態１に示したように、駆動電極ＣＯＭＬの１本ごとに駆動電極ＣＯＭＬを駆動し走査したが、これに限定されるものではなく、これに代えて、例えば、所定の本数の駆動電極ＣＯＭＬを駆動するとともに、駆動電極ＣＯＭＬを１本ずつシフトすることにより走査してもよい。
【０１１７】
また、上記の各実施形態及び変形例に係るタッチ検出機能付き表示装置１は、ＦＦＳ、ＩＰＳ等の各種モードの液晶を用いた液晶表示デバイス２０とタッチ検出デバイス３０とを一体化してタッチ検出機能付き表示デバイス１０とすることができる。これに代えて、タッチ検出機能付き表示デバイス１０は、ＴＮ（Twisted  Nematic：ツイステッドネマティック）、ＶＡ（Vertical  Alignment：垂直配向）、ＥＣＢ（Electrically Controlled Birefringence：電界制御複屈折）等の各種モードの液晶とタッチ検出デバイスとを一体化してもよい。
【０１１８】
例えば、タッチ検出機能付き表示装置１は、横電界モードの液晶を用いてもよい。また、上記各実施形態では、液晶表示デバイス２０と静電容量型のタッチ検出デバイス３０とを一体化したいわゆるインセルタイプとしたが、これに限定されるものではなく、これに代えて、例えば液晶表示デバイスに静電容量型のタッチ検出デバイスを装着したものであってもよい。この場合でも、上述したような構成にすることにより、外部ノイズや、液晶表示デバイスから伝わるノイズ（上記各実施形態における内部ノイズに対応するもの）の影響を抑えつつタッチ検出を行うことができる。
【０１１９】
＜２．適用例＞
次に、図３７〜図４８を参照して、実施形態及び変形例で説明したタッチ検出機能付き表示装置１の適用例について説明する。図３７〜図４８は、本実施形態に係るタッチ検出機能付き表示装置を適用する電子機器の一例を示す図である。実施形態１、２、３及び変形例に係るタッチ検出機能付き表示装置１は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、実施形態１、２、３及び変形例に係るタッチ検出機能付き表示装置１は、外部から入力された映像信号あるいは内部で生成した映像信号を、画像あるいは映像として表示するあらゆる分野の電子機器に適用することが可能である。
【０１２０】
（適用例１）
図３７に示す電子機器は、実施形態１、２、３及び変形例に係るタッチ検出機能付き表示装置１が適用されるテレビジョン装置である。このテレビジョン装置は、例えば、フロントパネル５１１及びフィルターガラス５１２を含む映像表示画面部５１０を有しており、この映像表示画面部５１０は、実施形態１、２、３及び変形例に係るタッチ検出機能付き表示装置である。
【０１２１】
（適用例２）
図３８及び図３９に示す電子機器は、実施形態１、２、３及び変形例に係るタッチ検出機能付き表示装置１が適用されるデジタルカメラである。このデジタルカメラは、例えば、フラッシュ用の発光部５２１、表示部５２２、メニュースイッチ５２３及びシャッターボタン５２４を有しており、その表示部５２２は、実施形態１、２、３及び変形例に係るタッチ検出機能付き表示装置である。
【０１２２】
（適用例３）
図４０に示す電子機器は、実施形態１、２、３及び変形例に係るタッチ検出機能付き表示装置１が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、実施形態１、２、３及び変形例に係るタッチ検出機能付き表示装置である。
【０１２３】
（適用例４）
図４１に示す電子機器は、実施形態１、２、３及び変形例に係るタッチ検出機能付き表示装置１が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、実施形態１、２、３及び変形例に係るタッチ検出機能付き表示装置である。
【０１２４】
（適用例５）
図４２〜図４８に示す電子機器は、実施形態１、２、３及び変形例に係るタッチ検出機能付き表示装置１が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４またはサブディスプレイ５５５は、実施形態１、２、３及び変形例に係るタッチ検出機能付き表示装置である。
【０１２５】
＜３．本開示の構成＞
また、本開示は、以下の構成をとることもできる。
【０１２６】
（１）基板と、前記基板と平行な面上に行列配置された複数の画素電極と、前記基板の表面と平行な平面に延在し、前記画素電極を駆動するための走査信号を供給する複数の走査信号線と、前記画像信号に基づいて画像表示機能を発揮する表示機能層と、前記基板の表面に対する垂直方向において前記画素電極に対向し、前記走査信号線が延在する方向と平行な方向に延在する駆動電極と、前記垂直方向において前記駆動電極と対向し、かつ前記走査信号線が延在する方向とは異なる方向に延在する、透明導電体の検出電極パターンを備える複数のタッチ検出電極と、を備え、
前記検出電極パターンは、前記透明導電体のない領域であるスリットを含み、複数の前記スリットは、前記走査信号線が延在する方向に所定の間隔のスリットピッチで、かつ前記走査信号線と異なる方向に延在しており、前記スリットピッチが、前記複数の画素電極が配列される所定の画素ピッチの自然数倍である、タッチ検出機能付き表示装置。
【０１２７】
（２）前記タッチ検出電極は、前記検出電極パターンと、電極として機能しないダミーパターンと、を備え、
前記ダミーパターンは、前記透明導電体のない領域である複数のスリットを含み、複数の当該スリットは、前記走査信号線が延在する方向に所定の間隔のスリットピッチで、かつ前記走査信号線と異なる方向に延在しており、前記検出電極パターンのスリットピッチと、前記ダミーパターンのスリットピッチとが同じである、前記（１）に記載のタッチ検出機能付き表示装置。
【０１２８】
（３）前記検出電極パターンのスリットは、前記走査信号線が延在する方向と直交する方向に対して角度を有する直線が屈曲部で折り返すジグザグ線の形状である、前記（１）又は前記（２）に記載のタッチ検出機能付き表示装置。
【０１２９】
（４）前記検出電極パターンのスリットは、前記走査信号線が延在する方向と直交する方向に対して角度を有する直線が屈曲部で折り返す波線の形状である、前記（１）又は前記（２）に記載のタッチ検出機能付き表示装置。
【０１３０】
（５）前記検出電極パターンのスリットは、前記走査信号線が延在する方向と直交する方向に対して角度を有する直線が、前記垂直方向からみて前記複数の画素電極を跨ぐ、前記（３）又は前記（４）に記載のタッチ検出機能付き表示装置。
【０１３１】
（６）前記基板の表面と平行な平面に延在し、前記画素電極に画像を表示するための画像信号を供給する複数の画素信号線を備え、
前記屈曲部が、前記垂直方向からみて、前記画素信号線の一部と重なりあう、前記（３）又は前記（４）に記載のタッチ検出機能付き表示装置。
【０１３２】
（７）前記基板の表面と平行な平面に延在し、前記画素電極に画像を表示するための画像信号を供給する複数の画素信号線を備え、
前記検出電極パターンのスリットは、前記垂直方向からみて、少なくとも一部の前記画素信号線に沿って延在し重なりあう、前記（３）又は前記（４）に記載のタッチ検出機能付き表示装置。
【０１３３】
（８）前記屈曲部が、前記垂直方向からみて、前記走査信号線の一部と重なりあう、前記（３）又は前記（４）に記載のタッチ検出機能付き表示装置。
【０１３４】
（９）前記垂直方向において前記表示機能層に対向し、異なる色で着色された複数の色領域を有するカラーフィルタを備え、前記スリットが白色に着色された色領域を避けて配置されている、前記（１）から前記（４）のいずれか１つに記載のタッチ検出機能付き表示装置。
【０１３５】
（１０）前記画素電極の縁部を遮光する遮光層を備え、前記スリットは、前記垂直方向からみて前記遮光層の一部に重なり合う、前記（３）又は前記（４）に記載のタッチ検出機能付き表示装置。
【０１３６】
（１１）前記検出電極パターンは、前記走査信号線の延在する方向の幅が同程度となるように、前記走査信号線の延在する方向の両側にある境界線が平行な箇所がある、前記（３）から前記（４）のいずれか１つに記載のタッチ検出機能付き表示装置。
【０１３７】
（１２）外部の近接する物体を検出可能なタッチ検出機能付き表示装置を備える電子機器であって、
前記タッチ検出機能付き表示装置は、基板と、前記基板と平行な面上に行列配置された複数の画素電極と、前記基板の表面と平行な平面に延在し、前記画素電極を駆動するための走査信号を供給する複数の走査信号線と、前記画像信号に基づいて画像表示機能を発揮する表示機能層と、前記基板の表面に対する垂直方向において前記画素電極に対向し、前記走査信号線が延在する方向と平行な方向に延在する駆動電極と、前記垂直方向において前記駆動電極と対向し、かつ前記走査信号線が延在する方向とは異なる方向に延在する、透明導電体の検出電極パターンを備える複数のタッチ検出電極と、を備え、
前記検出電極パターンは、前記透明導電体のない領域であるスリットを含み、複数の前記スリットは、前記走査信号線が延在する方向に所定の間隔のスリットピッチで、かつ前記走査信号線と異なる方向に延在しており、前記スリットピッチが、前記複数の画素電極が配列される所定の画素ピッチの自然数倍である、電子機器。
【符号の説明】
【０１３８】
１  タッチ検出機能付き表示装置
２  画素基板
３  対向基板
６  液晶層
１０  タッチ検出機能付き表示デバイス
１１  制御部
１２  ゲートドライバ
１３  ソースドライバ
１４  駆動電極ドライバ
２０  液晶表示デバイス
２１  ＴＦＴ基板
２２  画素電極
３０  タッチ検出デバイス
３１  ガラス基板
３２  カラーフィルタ
３５  偏光板
４０  タッチ検出部
４２  アナログＬＰＦ部
４３  Ａ／Ｄ変換部
４４  信号処理部
４５  座標抽出部
４６  検出タイミング制御部
ＣＯＭＬ  駆動電極
ＧＣＬ  走査信号線
ＬＣ  液晶素子
Ｂ  表示期間
Ａ  タッチ検出期間
Ｐｉｘ  画素
Ｒ  抵抗
ＳＧＬ  画素信号線
ＴＤＬ  タッチ検出電極
Ｔｒ  ＴＦＴ素子
Ｖｃｏｍ  駆動信号
Ｖｄｅｔ  タッチ検出信号
Ｖｄｉｓｐ  映像信号
Ｖｐｉｘ  画素信号
Ｖｓｃａｎ  走査信号
【図１】
2014130537.tif 000003
【図２】
2014130537.tif 000004
【図３】
2014130537.tif 000005
【図４】
2014130537.tif 000006
【図５】
2014130537.tif 000007
【図６】
2014130537.tif 000008
【図７】
2014130537.tif 000009
【図８】
2014130537.tif 000010
【図９】
2014130537.tif 000011
【図１０】
2014130537.tif 000012
【図１１】
2014130537.tif 000013
【図１２】
2014130537.tif 000014
【図１３】
2014130537.tif 000015
【図１４】
2014130537.tif 000016
【図１５】
2014130537.tif 000017
【図１６】
2014130537.tif 000018
【図１７】
2014130537.tif 000019
【図１８】
2014130537.tif 000020
【図１９】
2014130537.tif 000021
【図２０】
2014130537.tif 000022
【図２１】
2014130537.tif 000023
【図２２】
2014130537.tif 000024
【図２３】
2014130537.tif 000025
【図２４】
2014130537.tif 000026
【図２５】
2014130537.tif 000027
【図２６】
2014130537.tif 000028
【図２７】
2014130537.tif 000029
【図２８】
2014130537.tif 000030
【図２９】
2014130537.tif 000031
【図３０】
2014130537.tif 000032
【図３１】
2014130537.tif 000033
【図３２】
2014130537.tif 000034
【図３３】
2014130537.tif 000035
【図３４】
2014130537.tif 000036
【図３５】
2014130537.tif 000037
【図３６】
2014130537.tif 000038
【図３７】
2014130537.tif 000039
【図３８】
2014130537.tif 000040
【図３９】
2014130537.tif 000041
【図４０】
2014130537.tif 000042
【図４１】
2014130537.tif 000043
【図４２】
2014130537.tif 000044
【図４３】
2014130537.tif 000045
【図４４】
2014130537.tif 000046
【図４５】
2014130537.tif 000047
【図４６】
2014130537.tif 000048
【図４７】
2014130537.tif 000049
【図４８】
2014130537.tif 000050